(57)【特許請求の範囲】
【請求項１】
建物の出入口側又は扉に取付けられるブラケット２１の支承体取付部２４に雄支承体又は雌支承体を前後方向、左右方向に移動しないように設けた第１金具２０と、
扉又は建物の出入口側に取付けられるブラケット３１の支承体取付部３６に雌支承体又は雄支承体を前後方向、左右方向に移動自在に設けた第２金具３０を備え、
その雄支承体と雌支承体を回動自在で、かつ前後方向、左右方向に移動しないように連結した扉用ヒンジであって、
前記第２金具３０の支承体取付部３６に、第１支持金具４０を、前後方向に移動自在に嵌め込んで設け、この第１支持金具４０は第１ねじ４６の回転で前後方向に移動するようにし、この第１支持金具４０に第２支持金具４３を、左右方向に移動自在に嵌め込んで設け、この第２支持金具４３は第２ねじ４８の回転で左右方向に移動するようにし、
前記雌支承体又は雄支承体を、前記第１支持金具４０の上下部を左右方向には移動自在で、前後方向には移動できないように貫通し、かつ第２支持金具４３の上下部を左右方向、前後方向に移動しないように貫通し、その雌支承体又は雄支承体が第２金具３０の支承体取付部に対して前後方向、左右方向に移動自在とし、
前記雌支承体又は雄支承体を支承体取付部に前後方向、左右方向に移動しないように固定する固定手段３４を設けたことを特徴とする扉用ヒンジ。
【請求項２】
前記第２金具３０のブラケット３１の支承体取付部３６は、対向した一対の第１縦片３６ａ，３６ａを第２縦片３６ｂで連結した平面形状コ字状で、
前記第１支持金具４０は上横片４０ａと下横片４０ｂと縦片４０ｃでコ字形状で、その上横片４０ａと下横片４０ｂに雄支承体又は雌支承体の軸が左右方向に移動可能に挿通する長孔４１を有し、縦片４０ｃに第１ねじ４６が螺合するねじ孔４２を有する形状で、その上横片４０ａと下横片４０ｂが前記支承体取付部３６の一対の第１縦片３６ａ，３６ａの内面間に前後方向に移動自在に嵌め込まれ、
前記第２支持金具４３は上横片４３ａと下横片４３ｂと縦片４３ｃでコ字形状で、その上横片４３ａと下横片４３ｂに前記軸が嵌合する孔４４を有し、縦片４３ｃに第２ねじ４８が螺合するねじ孔４５を有する形状で、その上横片４３ａと下横片４３ｂが前記第１支持金具４０の上横片４０ａ、下横片４０ｂの内面間に左右方向に移動自在に嵌め込まれ、
前記第１ねじ４６は前記支承体取付部３６の第２縦片３６ｂに回転自在で、かつ軸方向に移動しないように支承され、
前記第２ねじ４８は前記支承体取付部３６の一対の第１縦片３６ａ，３６ａに形成した前後方向の長孔３７に回転自在で、かつ軸方向に移動しないように支承されている請求項１記載の扉用ヒンジ。
【発明の詳細な説明】
【０００１】
【発明の属する技術分野】
本発明は、建物の出入口に扉を開き位置と閉じ位置に亘って回動自在に取付ける扉用ヒンジに関する。
【０００２】
【従来の技術】
扉用ヒンジとしては、建物の出入口に取付けられる建物側金具と、扉に取付けられる扉側金具を軸で回動可能に連結したものが知られている。
前述の扉用ヒンジを用いて扉を建物の出入口に回動自在に取付けた時に、その扉が前後方向、左右方向に傾くことがあり、その場合には扉を前後方向、左右方向に移動して建付け調整する必要がある。
【０００３】
扉を建付け調整できる扉用ヒンジが特許第２７６５８１６号公報に開示されている。
この扉用ヒンジは図９と図１０に示すように、建物側金具１と扉側金具２と軸３を備え、その軸３の一端部が扉側金具２の角筒部４内に挿入し、その扉側金具２に設けたＸ方向に向う第１ねじ軸５とＹ方向に向う第２ねじ軸６を軸３の第１雌ねじ孔７と第２雌ねじ孔８に螺入する。前記軸３の他端部を建物側金具２の軸受孔部９に嵌合して建物側金具１と扉側金具２を回動自在に連結してある。
【０００４】
前述の建物側金具１を建物の出入り口に取付けると共に、扉側金具２を扉に取付けた状態で、第１ねじ軸５を回転することで軸３に対して扉側金具２がＸ方向に移動し、第２ねじ軸６を回転することで軸３に対して扉側金具２がＹ方向に移動する。
【０００５】
このようであるから、扉を建物の出入口に取付けた状態で第１ねじ軸５を回転することで扉がＸ方向（左右方向）に移動し、第２ねじ軸６を回転することで扉がＹ方向（前後方向）に移動するので、扉の左右方向の傾き及び前後方向に傾きを修正して正常な状態とすること、つまり建付け調整できる。
【０００６】
【発明が解決しようとする課題】
前述の扉用ヒンジは、扉側金具２を軸３に対してＸ方向、Ｙ方向に移動する時（つまり建付け調整する時）に軸３と扉側金具２がＸ方向には第１ねじ軸５のみで連結され、Ｙ方向には第２ねじ軸６のみで連結される。このために建付け調整時に軸３に対して扉側金具２が不安定で、扉が出入口に対して動く恐れがある。特に、大重量扉の場合は動く恐れがある。
【０００７】
また、前述の扉用ヒンジは軸３に第１雌ねじ孔７と第２雌ねじ孔８を加工する必要があり、その加工が面倒である。
【０００８】
そこで、本発明は前述の課題を解決できるようにした扉用ヒンジを提供することを目的とする。
【０００９】
【課題を解決するための手段】
第１の発明は、建物の出入口側又は扉に取付けられるブラケット２１の支承体取付部２４に雄支承体又は雌支承体を前後方向、左右方向に移動しないように設けた第１金具２０と、
扉又は建物の出入口側に取付けられるブラケット３１の支承体取付部３６に雌支承体又は雄支承体を前後方向、左右方向に移動自在に設けた第２金具３０を備え、
その雄支承体と雌支承体を回動自在で、かつ前後方向、左右方向に移動しないように連結した扉用ヒンジであって、
前記第２金具３０の支承体取付部３６に、第１支持金具４０を、前後方向に移動自在に嵌め込んで設け、この第１支持金具４０は第１ねじ４６の回転で前後方向に移動するようにし、この第１支持金具４０に第２支持金具４３を、左右方向に移動自在に嵌め込んで設け、この第２支持金具４３は第２ねじ４８の回転で左右方向に移動するようにし、
前記雌支承体又は雄支承体を、前記第１支持金具４０の上下部を左右方向には移動自在で、前後方向には移動できないように貫通し、かつ第２支持金具４３の上下部を左右方向、前後方向に移動しないように貫通し、その雌支承体又は雄支承体が第２金具３０の支承体取付部に対して前後方向、左右方向に移動自在とし、
前記雌支承体又は雄支承体を支承体取付部に前後方向、左右方向に移動しないように固定する固定手段３４を設けたことを特徴とする扉用ヒンジである。
【００１０】
第２の発明は、第１の発明において、前記第２金具３０のブラケット３１の支承体取付部３６は、対向した一対の第１縦片３６ａ，３６ａを第２縦片３６ｂで連結した平面形状コ字状で、
前記第１支持金具４０は上横片４０ａと下横片４０ｂと縦片４０ｃでコ字形状で、その上横片４０ａと下横片４０ｂに雄支承体又は雌支承体の軸が左右方向に移動可能に挿通する長孔４１を有し、縦片４０ｃに第１ねじ４６が螺合するねじ孔４２を有する形状で、その上横片４０ａと下横片４０ｂが前記支承体取付部３６の一対の第１縦片３６ａ，３６ａの内面間に前後方向に移動自在に嵌め込まれ、
前記第２支持金具４３は上横片４３ａと下横片４３ｂと縦片４３ｃでコ字形状で、その上横片４３ａと下横片４３ｂに前記軸が嵌合する孔４４を有し、縦片４３ｃに第２ねじ４８が螺合するねじ孔４５を有する形状で、その上横片４３ａと下横片４３ｂが前記第１支持金具４０の上横片４０ａ、下横片４０ｂの内面間に左右方向に移動自在に嵌め込まれ、
前記第１ねじ４６は前記支承体取付部３６の第２縦片３６ｂに回転自在で、かつ軸方向に移動しないように支承され、
前記第２ねじ４８は前記支承体取付部３６の一対の第１縦片３６ａ，３６ａに形成した前後方向の長孔３７に回転自在で、かつ軸方向に移動しないように支承されている扉用ヒンジである。
【００１１】
【作    用】
第１の発明によれば、第１ねじ４６の回転によって第１支持金具４０が支承体取付部に対して第２支持金具４３とともに前後方向に移動し、第２ねじ４８の回転によって第２支持金具４３か支承体取付部、第１支持金具４０に対して左右方向に移動する。
したがって、扉用ヒンジで扉を建物の出入口に取付けた状態で、第１ねじ４６を回転することで扉が前後方向に移動し、第２ねじ４８を回転することで扉が左右方向に移動するから、扉を建付け調整できる。
【００１２】
また、第１支持金具４０は支承体取付部３６に前後方向に移動自在に嵌め込まれ、この第１支持金具４０に第２支持金具４３が左右方向に移動自在に嵌め込まれていると共に、雌支承体又は雄支承体は第１支持金具４０の上下部と第２支持金具４３の上下部を貫通しているので、第１支持金具４０が前後方向に移動する時には、その上下２点が雌支承体又は雄支承体で支持されると共に、支承体取付部３６で支承され、第２支持金具４３が左右方向に移動する時には、その上下２点が雌支承体又は雄支承体で支持されると共に、第１支持金具４０で支持される。
したがって、建付け調整する時に雌支承体又は雄支承体が支承体取付部３６に対して安定した状態である。
【００１３】
また、雄支承体又は雌支承体には建付け調整用の孔を形成する必要がないので、その加工が容易である。
【００１４】
第２の発明によれば、第１ねじ４６の回転による前後移動時には第２ねじ４８が長孔３７に沿って相対移動し、第２ねじ４８の回転による左右移動時には第１支持金具４０の長孔４１に沿って軸が相対移動する。
【００１５】
【発明の実施の形態】
図１に示すように、建物の開口部１０に枠体１１が取付けられ、この枠体１１が建物の出入口を形成している。
前記枠体１１は上枠１２と下枠１３と左右の縦枠１４で方形状で、この枠体１１に扉１５が、下ヒンジ１６と上ヒンジ１７で閉じ位置と開き位置に亘って前後方向（見込み方向）に回動自在に取付けてある。
前記下ヒンジ１６は一方の縦枠１４の下部寄りと扉１５の下部寄りに亘って取付けてある。
上記上ヒンジ１７は一方の縦枠１４の上部寄りと扉１５の上部寄りに亘って取付けてある。
【００１６】
前記下ヒンジ１６は図２に示すように、縦枠１４の内面１４ａ下部寄りに取付ける第１金具２０と扉１５の端面１５ａにおける下部寄りに取付ける第２金具３０を備えている。
前記第１金具２０はブラケット２１と、このブラケット２１に設けた雄支承体２２を有する。
前記ブラケット２１は図３に示すように、板状の取付部２３と、この取付部２３と一体的に連続した筒状の支承体取付部２４を有する。具体的には一枚の板材を折り曲げ加工して形成してある。その取付部２３が図２に示すように縦枠１４の内面１４ａの下部寄りにビス２５で固着され、その支承体取付部２４は縦枠１４の前後方向（見込み方向）一端面１４ｂよりも突出している。
前記雄支承体２２はフランジ２６を備えた軸２７で、その軸２７の下部を支承体取付部２４内に挿入し、かつフランジ２６を支承体取付部２４の上端面２４ａに接して取付けられ、軸２７の上部が支承体取付部２４よりも上方に突出している。なお、軸２７を下ねじ部を有する形状とし、その下ねじ部を支承体取付部２４より突出してナットを螺合して固定しても良い。
【００１７】
前記第２金具３０は図２に示すように、ブラケット３１と、このブラケット３１に前後方向、つまり見込み方向（Ｙ方向）及び左右方向、つまり見付け方向（Ｘ方向）に移動自在に設けた雌支承体３２と、この雌支承体３２を移動する移動手段３３と、前記雌支承体３２をブラケット３１に移動しないように固定する固定手段３４を備えている。
【００１８】
前記ブラケット３１は図４に示すように板状の取付部３５と、この取付部３５と一体的に連続した支承体取付部３６を有する。この支承体取付部３６は対向した一対の第１縦片３６ａ，３６ａと、この第１縦片３６ａを連結する第２縦片３６ｂと横片３６ｃで平面形状コ字状である。
前記支承体取付部３６の相対向した第１縦片３６ａ，３６ａには前後方向に長い長孔３７が相対向して形成してある。
前記支承体取付部３６の第１縦片３６ａを連結する第２縦片３６ｂには透孔３８が形成してある。横片３６ｃに孔３６ｄが形成してある。
前記取付部３５が図２に示すように扉１５の端面１５ａの下部寄りにボルト３９で固着され、支承体取付部３６が扉１５よりも突出する。
【００１９】
前記支承体取付部３６にはコ字状の第１支持金具４０が一対の第１縦片３６ａ，３６ａの内側面に沿って前後方向に移動自在に嵌め込みされる。
この第１支持金具４０の上横片４０ａと下横片４０ｂには左右方向の長孔４１が形成され、この上横片４０ａと下横片４０ｂを連結する縦片４０ｃにねじ孔４２が形成してある。
前記第１支持金具４０内に第２支持金具４３が左右方向に移動自在に嵌め込みされる。
この第２支持金具４３の上横片４３ａと下横片４３ｂに孔４４が形成され、その上横片４３ａと下横片４３ｂを連結する縦片４３ｃにねじ孔４５が形成してある。
【００２０】
図５に示すように、支承体取付部３６の第２縦板３６ｂの透孔３８に第１ねじ４６を挿入してスナップリング４７で抜け止めし軸方向に移動しないようにする。この第１ねじ４６を第１支持金具４０のねじ孔４２に螺合し、その第１ねじ４６を回転することで第１支持金具４０が前後方向に移動するようにする。
前記支承体取付部３６の一方の長孔３７に第２ねじ４８を挿入し、その第２ねじ４８を第２支持金具４３のねじ孔４５に螺合すると共に、他方の長孔３７に挿入してスナップリング４９で抜け止めして軸方向に移動しないようにする。
前記第２ねじ４８を回転すると第２支持金具４３が第１支持金具４０に対して左右方向に移動する。
この第１ねじ４６と第２ねじ４８で移動手段３３を形成している。
【００２１】
前記雌支承体３２は図４に示すように、軸５０と回転子５１を備えている。
前記軸５０は下大径部５０ａと中間小径部５０ｂと上ねじ部５０ｃを有し、その下大径部５０ａの下面にねじ穴５２が軸方向に形成され、中間小径部５０ｂに縦長の長孔５３が径方向に亘って形成されている。
前記回転子５１は下大径部５１ａと上ねじ部５１ｂを有し、その下大径部５１ａの下面に支承用穴５４が軸方向に亘って形成されている。
前記軸５０のねじ穴５２に回転子５１の上ねじ部５１ｂが螺合され、軸５０の下大径部５０ａの下面（軸５０の下面）と回転子５１の下大径部５１ａの上面との間にシム５５が挿入可能としてある。
【００２２】
前記軸５０の上ネジ部５０ｃと中間小径部５０ｂが、ブラケット３１の支承体取付部３６の下面に一体的に設けた下横片３６ｃの孔３６ｄ、第１支持金具４０の長孔４１、第２支持金具４３の孔４４を貫通して上ねじ部５０ｃがブラケット３１の支承体取付部３６よりも上方に突出する。
上ねじ部５０ｃに押えプレート５６を挿入し、ナット５７を螺合することで、軸５０の下大径部５０ａ上面が横片３６ｃに当接すると共に、押えプレート５６が支承体取付部３６の上端面に接し、雌支承体３２がブラケット３１に固定される。これによって前記固定手段３４を形成している。
なお、前記第１ねじ４６と第２ねじ４８、少なくとも第２ねじ４８は雌支承体３２を挿通して取付けた後に螺合する。
第２ねじ４８は軸５０の長孔５３を貫通する。
【００２３】
前記第２金具３０の雌支承体３２の支承用穴５４を第１金具２０の雄支承体２２の軸２７に嵌合することで、第１金具２０と第２金具３０が回転自在に連結されると共に、回転子５１の下面が軸２７のフランジ２６に接する。
このようであるから、図６に示すように扉１５の下部寄りを縦枠１４の下部寄りに回動自在に取付けできる。
【００２４】
図６に示すように扉１５を閉じ位置とすると、第１ねじ４６が前後方向に向うと共に、第２ねじ４８が左右方向に向う。この状態で、その第１ねじ４６を回転することで第１支持金具４０が前後方向に移動しようとするが、この第１支持金具４０の上横片４０ａ、下横片４０ｂの長孔４１に軸５０の中間小径部５０ｂが挿通していると共に、軸５０は回転子５１を介して第１金具２０の軸２７に嵌合しているので、軸５０は前後に移動できない。
このために、軸５０、第１支持金具４０に対してブラケット３１が前後方向に移動し、扉１５が前後方向（Ｙ方向）に移動する。この時、第２支持金具４３に螺合した第２ねじ４８に対して長孔３７が前後にスライドする。
【００２５】
第２ねじ４８を回転すると第２支持金具４３が左右方向に移動しようとするが、前述のように第２支持金具４３と軸５０が左右方向に移動できないので、軸５０、第２支持金具４３に対してブラケット３１が左右方向に移動し、扉１５が左右方向（Ｘ方向）に移動する。この時、第１支持金具４０はブラケット３１とともに左右に移動するが、その移動は長孔４１で許容される。
【００２６】
前述のようであるから、第１ねじ４６を回転することで扉１５が前後方向（Ｙ方向）に移動し、第２ねじ４８を回転することで扉１５が左右方向（Ｘ方向）に移動するから建付け調整できる。この時にはナット５７を弛め、建付け調整したらナット５７を締付けて雌支承体３２をブラケット３１に固定する。
【００２７】
また、第１支持金具４０の上下横片４０ａ，４０ｂと第２支持金具４３の上下横片４３ａ，４３ｂ、つまり第１・第２支持金具４０，４３の上下部が軸５０に接しているので、建付け調整時に軸５０と第１支持金具４０、第２支持金具４３が安定した状態である。
【００２８】
また、回転子５１を回転することで回転子５１に対して軸５０が上方に移動し、扉１５が上方に移動する。回転子５１の下大径部５１ａの上面と軸５０の下大径部５０ａの下面との間の隙間が生じる。
この隙間にシム５５を挿入して回転子５１を反対方向に回転することで前述の下大径部５１ａの上面と下大径部５０ａの下面でシム５５を挟着する。
このようであるから、扉１５の高さ調整ができる。
【００２９】
前記上ヒンジ１７は図２に示すように、第１金具６０と第２金具７０を備えている。
前記第１金具６０はブラケット６１と押え材６２を有する。
そのブラケット６１は板状の取付部６３と、この取付部６３と一体的に連続したコ字状片６４を有する形状で、そのコ字状片６４は対向した一対の第１縦片６４ａと、この一対の第１縦片６４ａを連結する第２縦片６４ｂで平面形状コ字状で、前後方向に開口した支承凹部６５を形成している。
前記押え材６２は図７に示すように取付片６２ａと押え片６２ｂでＬ字形状で、その押え片６２ｂの角穴６６をコ字状片６４の一方の第１縦片６４ａの幅狭い部分に嵌め込むと共に、取付片６２ａをねじ６７で他方の第１縦片６４ａに固着して取付けられる。
この押え材６２で支承凹部６５を閉塞して雌支承体６８を形成する。
【００３０】
前記第２金具７０はブラケット７１と、このブラケット７１に前後方向と左右方向に移動自在に設けた雄支承体７２と、その雄支承体７２を移動する移動手段７３と、雄支承体７２を固定する固定手段７４を有する。
前記ブラケット７１は図８に示すように前述の下ヒンジ１６の第２金具３０のブラケット３１と略同一形状で、符号を同一として説明を省略する。
【００３１】
前記雄支承体７２は図８に示すように、下ねじ部７２ａと中間軸部７２ｂとフランジ部７２ｃと上軸部７２ｄを有する軸形状で、その中間軸部７２ｂに軸方向に長い長孔７５が径方向に貫通して形成してある。
前記雄支承体７２の下ねじ部７２ａが支承体取付部３６の孔３６ｄ、第１支持金具４０の長孔４１、第２支持金具４３の孔４４を貫通して支承体取付部３６よりも下方に突出し、その下ねじ部７２ａに押えプレート５６を設けると共に、ナット５７を螺合して固定される。
これによって、雄支承体７２のフランジ部７２ｃが支承体取付部３６の横片３６ｃに接し、上軸部７２ｄがブラケット７１よりも上方に突出する。
【００３２】
図７に示すように、雄支承体７２の上軸部７２ｄが第１金具６０の雌支承体６８に回転自在に嵌合し、第１金具６０と第２金具７０が回動自在に連結される。
つまり、雄支承体７２の上軸部７２ｄがコ字状片６４の一対の第１縦片６４ａと第２縦片６４ｂに接すると共に、押え材６２の押え片６２ｂが上軸部７２ｄに接する。
【００３３】
図６に示すように、扉１５を閉じ位置とすると第１ねじ４６が前後方向に向うと共に、第２ねじ４８が左右方向に向うので、前述の下ヒンジ１６と同様に第１ねじ４６を回転することで扉１５が前後方向（Ｙ方向）に移動し、第２ねじ４８を回転することで扉１５が左右方向（Ｘ方向）に移動する。
【００３４】
次に扉１５を取付ける作業手順を説明する。
扉１５の端部１５ａの下部寄り、上部寄りに下ヒンジ１６の第２金具３０のブラケット３１、上ヒンジ１７の第２金具７０のブラケット７１をそれぞれ取付ける。
縦枠１４の下部寄りと上部寄りに下ヒンジ１６の第１金具２０のブラケット２１、上ヒンジ１７の第１金具６０のブラケット６１をそれぞれ取付け、押え材６２は取り外した状態とする。
【００３５】
扉１５を持ち上げて下ヒンジ１６の第２金具３０の雌支承体３２を第１金具２０の雄支承体２２に嵌合して連結し、扉１５の下部寄りを縦枠１４の下部寄りに回動自在に取付ける。
これと同時に上ヒンジ１７の第２金具７０の雄支承体７２の上軸部７２ｄを第１金具６０の支承凹部６５に嵌め合わせ、扉１５の上部寄りを縦枠１４の上部寄りに仮取付けする。
【００３６】
押え材６２を取付けて雄支承体７２の上軸部７２ｄを支承凹部６５から抜け出ないように支持し、第１金具６０と第２金具７０を回動自在に連結する。
【００３７】
前述のようにして扉１５を取付けることで、その扉１５の取付け作業が容易である。
【００３８】
前記下ヒンジ１６、上ヒンジ１７の第１金具２０，６０を扉１５の端面１５ａの下部寄り、上部寄りに取付け、第２金具３０，７０を縦枠１４内面１４ａの下部寄り、上部寄りに取付けても良い。
また、下ヒンジ１６の第１金具２０の雄支承体２２を前後方向、左右方向に移動自在とし、第１金具３０の雌支承体３２を前後方向、左右方向に移動しないように固定しても良い。
また、上ヒンジ１７を下ヒンジ１６と同一形状としても良い。
【００３９】
また、図４と図５に示すように第２ねじ４８を軸５０の長孔５３に挿通したのは回転子５１を回転する時に軸５０が共回りしないようにするためであり、軸５０の共回りを他の手段で防止すれば第２ねじ４８は軸５０の長孔５３に挿通する必要がなく、一方の第１縦片３６ａの長孔３７に回転自在で、かつ軸方向に移動しないように支承しても良い。
例えば、軸５０を矩形断面形状とし、第１支持金具４０の長孔４１及び第２支持金具４３の矩形状の孔４４に挿通することで軸５０の共回りを防止する。
【００４０】
【発明の効果】
請求項１に係る発明によれば、第１ねじ４６の回転によって第１支持金具４０が支承体取付部に対して第２支持金具４３とともに前後方向に移動し、第２ねじ４８の回転によって第２支持金具４３か支承体取付部、第１支持金具４０に対して左右方向に移動する。
したがって、扉用ヒンジで扉を建物の出入口に取付けた状態で、第１ねじ４６を回転することで扉が前後方向に移動し、第２ねじ４８を回転することで扉が左右方向に移動するから、扉を建付け調整できる。
【００４１】
また、第１支持金具４０は支承体取付部３６に前後方向に移動自在に嵌め込まれ、この第１支持金具４０に第２支持金具４３が左右方向に移動自在に嵌め込まれていると共に、雌支承体又は雄支承体は第１支持金具４０の上下部と第２支持金具４３の上下部を貫通しているので、第１支持金具４０が前後方向に移動する時には、その上下２点が雌支承体又は雄支承体で支持されると共に、支承体取付部３６で支承され、第２支持金具４３が左右方向に移動する時には、その上下２点が雌支承体又は雄支承体で支持されると共に、第１支持金具４０で支持される。
したがって、建付け調整する時に雌支承体又は雄支承体が支承体取付部３６に対して安定した状態である。
【００４２】
また、雄支承体又は雌支承体には建付け調整用の孔を形成する必要がないので、その加工が容易である。
【００４３】
請求項２に係る発明によれば、第１ねじ４６の回転による前後移動時には第２ねじ４８が長孔３７に沿って相対移動し、第２ねじ４８の回転による左右移動時には第１支持金具４０の長孔４１に沿って軸が相対移動する。
【図面の簡単な説明】
【図１】扉取付け状態の外観図である。
【図２】扉を取り外した状態の下ヒンジと上ヒンジの斜視図である。
【図３】下ヒンジの第１金具の分解斜視図である。
【図４】下ヒンジの第２金具の分解斜視図である。
【図５】下ヒンジの前後左右移動部分の横断面図である。
【図６】扉を閉じ位置とした状態の下ヒンジ、上ヒンジの斜視図である。
【図７】上ヒンジの平面図である。
【図８】上ヒンジの第２金具の分解斜視図である。
【図９】従来例の斜視図である。
【図１０】従来例の前後左右移動部分の横断面図である。
【符号の説明】
１４…縦枠、１５…扉、１６…下ヒンジ、１７…上ヒンジ、２０…第１金具、２１…ブラケット、２２…雄支承体、２４…支承体取付部、３０…第２金具、３１…ブラケット、３２…雌支承体、３６…支承体取付部、３７…長孔、４０…第１支持金具、４０ａ…上横片、４０ｂ…下横片、４０ｃ…縦片、４１…長孔、４２…ねじ孔、４３…第２支持金具、４３ａ…上横片、４３ｂ…下横片、４３ｃ…縦片、４４…孔、４５…ねじ孔、４６…第１ねじ、４８…第２ねじ、５０…軸、５１…回転子、６０…第１金具、６１…ブラケット、６８…雌支承体、７０…第２金具、７１…ブラケット、７２…雄支承体。
【図１】
0003735802.tif 000002
【図２】
0003735802.tif 000003
【図３】
0003735802.tif 000004
【図４】
0003735802.tif 000005
【図５】
0003735802.tif 000006
【図６】
0003735802.tif 000007
【図７】
0003735802.tif 000008
【図８】
0003735802.tif 000009
【図９】
0003735802.tif 000010
【図１０】
0003735802.tif 000011